【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
第１のデータ転送インターフェースを有するコンピュータシステムと、ワイヤレス通信ネットワークでの通信のために利用可能にされ、かつ、該該第１のデータ転送インターフェースと互換性のある第２のデータ転送インターフェースを有するワイヤレス通信デバイスとの間で証明書（Ｃｅｒｔ）を管理および転送する方法であって、該方法は、
該第１のデータ転送インターフェースと該第２のデータ転送インターフェースとを介して、該コンピュータシステムと該ワイヤレス通信デバイスとの間に通信を確立するステップと、
該コンピュータシステムおよび該ワイヤレス通信デバイスの他方に転送するために、該コンピュータシステムおよび該ワイヤレス通信デバイスの少なくとも一方に格納された１つ以上のＣｅｒｔを選択するためにユーザ入力を受信するステップと、
該選択されたＣｅｒｔを、該コンピュータシステムおよび該ワイヤレス通信デバイスの一方から、該コンピュータシステムおよび該ワイヤレス通信デバイスの他方に転送するステップと
を包含する、方法。
【請求項２】
前記コンピュータシステムと前記ワイヤレス通信デバイスとの間に通信を確立する前記ステップは、前記第１のデータ転送インターフェースと前記第２のデータ転送インターフェースとの間に通信リンクを確立するステップを包含し、
該通信リンクは、物理通信リンクおよびワイヤレス通信リンクからなるグループより選択される、請求項１に記載の方法。
【請求項３】
前記コンピュータシステムおよび前記ワイヤレス通信デバイスの一方に格納されたＣｅｒｔのリストを生成するステップと、
該Ｃｅｒｔの生成されたリストを表示するステップとを包含し、
前記ユーザ入力は、該表示されたリストからの１つ以上のＣｅｒｔの選択である、請求項１に記載の方法。
【請求項４】
前記表示するステップは、前記コンピュータシステムおよび前記ワイヤレス通信デバイスの一方に前記生成されたリストを表示するステップを包含し、
該表示されたリストからの前記１つ以上のＣｅｒｔの前記選択は、該コンピュータシステムおよび該ワイヤレス通信デバイスの一方と関連付けられたユーザインターフェースを介して行われる、請求項３に記載の方法。
【請求項５】
前記表示するステップは、前記コンピュータシステムおよび前記ワイヤレス通信デバイスの他方に前記生成されたリストを表示するステップを包含し、
該表示されたリストからの前記１つ以上のＣｅｒｔの前記選択は、該コンピュータシステムおよび該ワイヤレス通信デバイスの他方と関連付けられたユーザインターフェースを介して行われる、請求項３に記載の方法。
【請求項６】
前記生成するステップは、
前記コンピュータシステムおよび前記ワイヤレス通信デバイスの一方に格納され前記Ｃｅｒｔを識別するステップと、
該コンピュータシステムおよび該ワイヤレス通信デバイスの他方に格納された該Ｃｅｒｔを識別するステップと、
該コンピュータシステムおよび該ワイヤレス通信デバイスの一方にのみ格納され、該コンピュータシステムおよび該ワイヤレス通信デバイスの他方には格納されない該Ｃｅｒｔのリストを生成するステップと
を包含する、請求項３に記載の方法。
【請求項７】
前記選択されたＣｅｒｔを前記コンピュータシステムおよび前記ワイヤレス通信デバイスの他方のデータストアに格納するステップをさらに包含する、請求項１に記載の方法。
【請求項８】
前記通信を確立するステップの後に、
前記コンピュータシステムにて、
該データストアにおける期限切れの、取消された、または無効のＣｅｒｔを検出するために、前記ワイヤレス通信デバイスに格納された各Ｃｅｒｔの状態をチェックするステップと、
期限切れの、取消された、または無効のＣｅｒｔごとに新しいＣｅｒｔを取り出すステップと、
各新しいＣｅｒｔを該コンピュータシステムから該ワイヤレス通信デバイスに転送するステップと
をさらに包含する、請求項１に記載の方法。
【請求項９】
前記チェックするステップの後に、期限切れの、取消された、または無効のＣｅｒｔが検出されるときをユーザにプロンプトするステップをさらに包含し、前記取り出すステップおよび転送するステップは、該ユーザからの入力に応答する、請求項８に記載の方法。
【請求項１０】
前記取り出すステップは、公開鍵サーバ（ＰＫＳ）から新しいＣｅｒｔを取り出すステップを包含する、請求項８に記載の方法。
【請求項１１】
前記コンピュータシステムおよび前記ワイヤレス通信デバイスの一方に転送するために、該コンピュータシステムおよび該ワイヤレス通信デバイスの他方に格納された１つ以上のＣｅｒｔを選択するために、ユーザ入力を受信するステップと、
該コンピュータシステムおよび該ワイヤレス通信デバイスの他方に格納された該選択された１つ以上のＣｅｒｔを、該コンピュータシステムおよび該ワイヤレス通信デバイスの他方から該コンピュータシステムおよび該ワイヤレス通信デバイスの一方に転送するステップと
をさらに包含する、請求項１に記載の方法。
【請求項１２】
前記コンピュータシステムおよび前記ワイヤレス通信デバイスの一方に格納されたＣｅｒｔのリストを生成するステップと、
該コンピュータシステムおよび該ワイヤレス通信デバイスの一方に該生成されたＣｅｒｔのリストを表示するステップと、
該コンピュータシステムおよび該ワイヤレス通信デバイスの他方に格納されたＣｅｒｔのリストを生成するステップと、
該コンピュータシステムおよび該ワイヤレス通信デバイスの一方に該生成されたＣｅｒｔのリストを表示するステップとをさらに包含し、
該コンピュータシステムおよび該ワイヤレス通信デバイスの一方に格納された該１つ以上のＣｅｒｔを選択するためのユーザ入力は、該コンピュータシステムおよび該ワイヤレス通信デバイスの一方に格納された該Ｃｅｒｔのリストからの選択であり、かつ、該コンピュータシステムおよび該ワイヤレス通信デバイスの一方と関連付けられたユーザインターフェースを介して行われ、該コンピュータシステムおよび該ワイヤレス通信デバイスの他方に格納された該１つ以上のＣｅｒｔを選択するための該ユーザ入力は、該コンピュータシステムおよび該ワイヤレス通信デバイスの他方に格納された該Ｃｅｒｔのリストからの選択であり、かつ、該コンピュータシステムおよび該ワイヤレス通信デバイスの一方と関連付けられたユーザインターフェースを介して行われる、請求項１１に記載の方法。
【請求項１３】
前記コンピュータシステムおよび前記ワイヤレス通信デバイスの他方のデータストアに格納されたＣｅｒｔのリストを生成するステップと、
該コンピュータシステムおよび該ワイヤレス通信デバイスの一方に該生成されたＣｅｒｔのリストを表示するステップと、
該コンピュータシステムおよび該ワイヤレス通信デバイスの一方と関連付けられたユーザインターフェースを介して、該表示されたリストからの１つ以上のＣｅｒｔを該データストアから削除するために選択するためのユーザ入力を受信するステップと、
該コンピュータシステムおよび該ワイヤレス通信デバイスの他方における該データストアからの該選択された一つ以上のＣｅｒｔを削除するステップと
をさらに包含する、請求項１に記載の方法。
【請求項１４】
前記コンピュータシステムは、デスクトップコンピュータシステム、ラップトップコンピュータシステム、およびワイヤレスモバイル通信デバイスからなるグループより選択される、請求項１に記載の方法。
【請求項１５】
コンピュータシステムとワイヤレス通信デバイスとの間で証明書（Ｃｅｒｔ）を管理および転送するシステムであって、該システムは、
該コンピュータシステムにて、
Ｃｅｒｔを格納するように構成された第１のＣｅｒｔストアを備える第１のメモリと、
該第１のＣｅｒｔストアにアクセスするように構成された第１のＣｅｒｔ同期化（ｓｙｎｃ）システムと、
第１の通信インターフェースとを備え、
該ワイヤレス通信デバイスにて、
Ｃｅｒｔを格納するように構成された第２のＣｅｒｔストアを備える第２のメモリと、
該第２のＣｅｒｔストアにアクセスするように構成された第２のＣｅｒｔ  ｓｙｎｃシステムと、
ワイヤレス通信ネットワークでの通信のために該ワイヤレス通信デバイスを利用可能にするワイヤレストランシーバと、
該第１の通信インターフェースと互換性のある第２の通信インターフェースと
を備え、
該第１のＣｅｒｔ  ｓｙｎｃシステムは、該第１のＣｅｒｔストアに格納されたＣｅｒｔを、該コンピュータシステムから該ワイヤレス通信デバイスに転送するようにさらに構成され、ここで、該第１の通信インターフェースおよび該第２の通信インターフェースを介して、該コンピュータシステムと該ワイヤレス通信デバイスとの間に通信リンクが確立される、システム。
【請求項１６】
前記第２のＣｅｒｔ  ｓｙｎｃシステムは、前記コンピュータシステムから前記ワイヤレス通信デバイスに転送されたＣｅｒｔを前記第２のＣｅｒｔストアに格納するように構成される、請求項１５に記載のシステム。
【請求項１７】
前記コンピュータシステムにおいてユーザインターフェースをさらに備え、該ユーザインターフェースは、前記第１のＣｅｒｔストアに格納された前記１つ以上のＣｅｒｔを選択するためのユーザ入力を受け付けるように構成され、該選択されたＣｅｒｔは、該コンピュータシステムから該ワイヤレス通信デバイスに転送される、請求項１６に記載のシステム。
【請求項１８】
前記第２のＣｅｒｔ  ｓｙｎｃシステムは、前記第２のＣｅｒｔストアに格納されたＣｅｒｔを、前記ワイヤレス通信デバイスから前記コンピュータシステムに転送するようにさらに構成され、ここで、前記第１の通信インターフェースおよび前記第２の通信インターフェースを介して、該コンピュータシステムと該ワイヤレス通信デバイスとの合い第に通信リンクが確立される、請求項１７に記載のシステム。
【請求項１９】
前記コンピュータシステムにおける前記ユーザインターフェースは、前記第２のＣｅｒｔストアに格納された前記１つ以上のＣｅｒｔを選択するためのユーザ入力を受け付けるようにさらに構成され、該選択されたＣｅｒｔは、前記ワイヤレス通信デバイスから該コンピュータシステムに転送される、請求項１８に記載のシステム。
【請求項２０】
前記第１のＣｅｒｔ  ｓｙｎｃシステムは、前記第２のＣｅｒｔストアに格納された期限切れの、無効の、または取消されたＣｅｒｔを検出するために、該第２のＣｅｒｔストアに格納された各Ｃｅｒｔの状態をチェックするようにさらに構成される、請求項１５に記載のシステム。
【請求項２１】
前記第１のＣｅｒｔ  ｓｙｎｃは、前記第２のＣｅｒｔストアに格納された期限切れの、無効の、または取消されたＣｅｒｔごとに新しいＣｅｒｔを取り出し、各新しいＣｅｒｔを、前記通信リンクを介して、前記コンピュータシステムから前記ワイヤレス通信デバイスに転送するようにさらに構成される、請求項２０に記載のシステム。
【請求項２２】
前記コンピュータシステムは、デスクトップコンピュータシステム、ラップトップコンピュータシステム、およびワイヤレスモバイル通信デバイスからなるグループより選択される、請求項１５に記載のシステム。
【請求項２３】
前記ワイヤレス通信デバイスは、データ通信デバイス、ボイス通信デバイス、データおよびボイス通信の両方の機能性を有するデュアルモード通信デバイス、データ通信機能性を有するセルラー電話、ワイヤレス通信のために利用可能にされたパーソナルデジタルアシスタント（ＰＤＡ）、および、ワイヤレスモデムを有するラップトップまたはデスクトップコンピュータシステムからなるグループより選択される、請求項１５に記載のシステム。
【請求項２４】
前記コンピュータシステムにて、
第１のメッセージングシステムと、
第１の通信サブシステムとを備え、
前記ワイヤレス通信デバイスにて、
第２のメッセージングシステムと、
第２の通信サブシステムとをさらに備え、
該第１のメッセージングシステムは、該第１の通信サブシステムを介して受信されたＣｅｒｔを前記第１のＣｅｒｔストアに格納するように構成され、該第２のメッセージングシステムは、該第２の通信サブシステムを介して受信されたＣｅｒｔを前記第２のＣｅｒｔストアに格納するように構成される、請求項１５に記載のシステム。
【請求項２５】
前記第１の通信インターフェースおよび前記第２の通信インターフェースは、前記コンピュータシステムと前記ワイヤレス通信デバイスとの間に物理リンクを確立する、請求項１５に記載のシステム。
【請求項２６】
前記第１の通信インターフェースおよび前記第２の通信インターフェースは、シリアルポートおよびユニバーサルシリアルバス（ＵＳＢ）ポートからなるグループより選択される、請求項２５に記載のシステム。
【請求項２７】
前記第１の通信インターフェースおよび前記第２の通信インターフェースは、前記コンピュータシステムと前記ワイヤレス通信デバイスとの間にワイヤレスリンクを確立する、請求項１５に記載のシステム。
【請求項２８】
前記第１の通信インターフェースおよび前記第２の通信インターフェースは、ＩｒＤＡ（Ｉｎｆｒａｒｅｄ  Ｄａｔａ  Ａｓｓｏｃｉａｔｉｏｎ）ポート、Ｂｌｕｅｔｏｏｔｈおよび８０２．１１モジュールからなるグループより選択される、請求項２５に記載のシステム。
【請求項２９】
コンピュータシステムとワイヤレスモバイル通信デバイスとの間で証明書（Ｃｅｒｔ）を転送するシステムであって、該システムは、
該コンピュータシステムと関連付けられたシリアルポートと、
該シリアルポートに接続されるモバイルデバイスクレードルであって、インターフェースを有する、モバイルデバイスクレードルと、
該ワイヤレスモバイル通信デバイスと関連付けられ、かつ、該モバイルデバイスクレードルのインターフェースと互換性があるモバイルデバイスインターフェースとを備え、
該コンピュータシステムに格納されたＣｅｒｔは、該ワイヤレスモバイル通信デバイスに転送され、ここで、該ワイヤレスモバイル通信デバイスを該モバイルデバイスクレードルに配置することによって、該コンピュータシステムと該ワイヤレスモバイル通信デバイスとの間に通信リンクが確立される、システム。
【請求項３０】
ワイヤレスモバイル通信デバイスであって、
ワイヤレストランシーバと、
該ワイヤレストランシーバに接続されたメッセージングシステムと、
コンピュータシステムとデータを交換するための通信インターフェースと、
証明書（Ｃｅｒｔ）を格納するように構成されたＣｅｒｔストアと、
該Ｃｅｒｔストアおよび該通信インターフェースに接続されたＣｅｒｔ同期化（ｓｙｎｃ）システムとを備え、
該メッセージングシステムは、該ワイヤレストランシーバを介して受信されたＣｅｒｔを該Ｃｅｒｔストアに格納するように構成され、該Ｃｅｒｔ  ｓｙｎｃシステムは、該コンピュータシステムから受信されたＣｅｒｔを、該通信インターフェースを介して該Ｃｅｒｔストアに格納するように構成される、ワイヤレスモバイル通信デバイス。
【請求項３１】
前記メッセージングシステムは、公開鍵サーバ（ＰＫＳ）からＣｅｒｔをリクエストするようにさらに構成される、請求項３０に記載のワイヤレスモバイル通信デバイス。
【請求項３２】
前記通信インターフェースは、シリアルポート、ユニバーサルシリアルバス（ＵＳＢ）ポート、およびＩｒＤＡ（Ｉｎｆｒａｒｅｄ  Ｄａｔａ  Ａｓｓｏｃｉａｔｉｏ）ポート、Ｂｌｕｅｔｏｏｔｈモジュールおよび８０２．１１モジュールからなるグループより選択される、請求項３０に記載のワイヤレスモバイル通信デバイス。
【請求項３３】
前記ワイヤレスモバイル通信デバイスは、データ通信デバイス、ボイス通信デバイス、データおよびボイス通信の両方の機能性を有するデュアルモード通信デバイス、データ通信機能を有するセルラー電話、ワイヤレス通信が使用可能にされたパーソナルデジタルアシスタント（ＰＤＡ）、およびワイヤレスモデムを有するラップトップまたはデスクトップコンピュータシステムからなるグループより選択される、請求項３０に記載のシステム。